(57)【要約】【課題】デザイン的及び機能的に優れ、使い勝手も良好であるジャケットを提供する。【解決手段】本発明のジャケット１は、胸襟部３ａ，３ｂを含み、この胸襟部３ａ，３ｂは外側に折り返されて開いており、一方の胸襟部３ｂにはマグネット４ｂが固定されており、他方の胸襟部３ａには前記マグネットに吸引される物質４ａが固定されており、胸襟部を開いた状態ではマグネット及びマグネットに吸引される物質は外側から視認できず、胸襟部を閉じたとき、前記マグネット及びマグネットに吸引される物質の吸引力により胸襟部は閉じた状態で固定される。このジャケットは、通常状態ではジャケットとして着用でき、屋外において雨天、強風、寒いときなどは胸襟を閉じることにより、防水、防風、防寒ができる。【選択図】図２
2018127751.tif 000002
【特許請求の範囲】
【請求項１】
胸襟部を含むジャケットであって、
前記胸襟部は外側に折り返されて開いており、一方の胸襟部にはマグネットが固定されており、他方の胸襟部には前記マグネットに吸引される物質が固定されており、前記胸襟部を開いた状態では前記マグネット及びマグネットに吸引される物質は外側から視認できず、
前記胸襟部を閉じたとき、前記マグネット及びマグネットに吸引される物質の吸引力により胸襟部は閉じた状態で固定されることを特徴とするジャケット。
【請求項２】
前記胸襟部は、少なくとも表生地と裏生地で構成され、かつ一方の胸襟部の前記表生地と裏生地の間にはマグネットが固定されており、他方の胸襟部の前記表生地と裏生地の間には前記マグネットに吸引される物質が固定されている請求項１に記載のジャケット。
【請求項３】
前記ジャケットが男性用ジャケットであり、胸襟部を開いたとき、左胸襟部の先端に沿ってマグネット又はマグネットに吸引される物質のうちの一方が配置され、他方は右胸襟部に配置されており、女性用ジャケットはその逆である請求項１又は２に記載のジャケット。
【請求項４】
前記ジャケットは首襟部を含み、前記首襟部を立てることにより胸襟部が連動して閉じる請求項１〜３のいずれかに記載のジャケット。
【請求項５】
前記マグネット及びマグネットに吸引される物質のいずれか一方は、複数の円盤状のものを複数個一列に配置して帯状としている１〜４のいずれかに記載のジャケット。
【請求項６】
前記胸襟部の下にはジャケットボタン部を有する１〜５のいずれかに記載のジャケット。
【請求項７】
前記ジャケットには、首部にボタンとボタン穴が設けられている１〜６のいずれかに記載のジャケット。
【請求項８】
前記マグネット及びマグネットに吸引される物質は、樹脂シート上に配置され、上から保護フィルムによって被覆一体化され、前記樹脂シートの下には粘着剤又は接着剤により布と一体化され、前記布がジャケットの胸襟部に縫い付けられている１〜７のいずれかに記載のジャケット。
【請求項９】
前記ジャケットはレインジャケット、防寒ジャケット、防風ジャケット及びこれらの組み合わせから選ばれる請求項１〜８のいずれかに記載のジャケット。
【発明の詳細な説明】
【技術分野】
【０００１】
本発明は、胸襟部にマグネットを入れたジャケットに関する。
【背景技術】
【０００２】
一般的に背広（スーツ）や替え上着のようなジャケットはテーラードジャケットといい、胸襟が開いている。このためレインジャケット、防寒ジャケット、防風ジャケットなどに適用するには胸襟を閉じる必要がある。胸襟を閉じる手段は、ボタン、スライドファスナー、面ファスナーなどが考えられるが、いずれもデザイン的に問題がある。特許文献１〜２には、衣服の重ね合わせ部分にボタン代わりにマグネットを取り付けることが提案されている。
【先行技術文献】
【特許文献】
【０００３】
【特許文献１】特開２００５−０２８０２２号公報
【特許文献２】特開２０００−２３６９１７号公報
【発明の概要】
【発明が解決しようとする課題】
【０００４】
しかし、従来のボタン代わりにマグネットを取り付けた衣類は、やはりデザイン的に問題があり、使い勝手も問題があった。
【０００５】
本発明は、上記問題を解決するため、デザイン的及び機能的に優れ、使い勝手も良好であるジャケットを提供する。
【課題を解決するための手段】
【０００６】
本発明のジャケットは、胸襟部を含むジャケットであって、前記胸襟部は外側に折り返されて開いており、一方の胸襟部にはマグネットが固定されており、他方の胸襟部には前記マグネットに吸引される物質が固定されており、前記胸襟部を開いた状態では前記マグネット及びマグネットに吸引される物質は外側から視認できず、前記胸襟部を閉じたとき、前記マグネット及びマグネットに吸引される物質の吸引力により胸襟部は閉じた状態で固定されることを特徴とする。
【発明の効果】
【０００７】
本発明のジャケットは、胸襟部を開いた状態ではマグネット及びマグネットに吸引される物質は外側から視認できず、胸襟部を閉じたとき、マグネット及びマグネットに吸引される物質の吸引力により胸襟部は閉じた状態で固定されることにより、デザイン的及び機能的に優れ、使い勝手も良好である。すなわち、通常状態ではジャケットとして着用でき、屋外において雨天、強風、寒いときなどは胸襟を閉じることにより、手軽に防水、防風、防寒ができ、デザイン的にも機能的にも優れ、使い勝手も良好である。
【図面の簡単な説明】
【０００８】
【図１】図１は本発明の一実施形態におけるジャケットの胸襟を開いた状態の正面図である。
【図２】図２は同、片方の胸襟を閉じた状態の正面図である。
【図３】図３は同、両方の胸襟を閉じた状態の正面図である。
【図４】図４Ａは同マグネット部材の平面図、図４Ｂは同マグネット部材の断面図である。
【発明を実施するための形態】
【０００９】
本発明は、胸襟部を含むジャケットであって、胸襟部は外側に折り返されて開いており、一方の胸襟部にはマグネットが固定されており、他方の胸襟部には前記マグネットに吸引される物質（マグネット又は金属）が固定されている。このジャケットは、胸襟部を開いた状態ではマグネット及びマグネットに吸引される物質は外側から視認できず、胸襟部を閉じたとき、マグネット及びマグネットに吸引される物質の吸引力により胸襟部は閉じた状態で固定される。これにより、通常状態ではジャケットとして着用でき、屋外において雨天、強風、寒いときなどは胸襟を閉じることにより、手軽に防水、防風、防寒ができ、デザイン的にも機能的にも優れ、使い勝手も良好である。
【００１０】
胸襟部は、少なくとも表生地と裏生地で構成され、かつ一方の胸襟部の前記表生地と裏生地の間にはマグネットが固定されており、他方の胸襟部の表生地と裏生地の間にはマグネットに吸引される物質が固定されている。これにより、マグネット及びマグネットに吸引される物質は外側から視認できず、デザイン的に優れたものとなる。マグネット及びマグネットに吸引される物質は、樹脂シート上に配置され、その上からカバーフィルムで一体化されたものを使用し、樹脂シートの裏面には粘着剤を塗布しておき、少し大きめの布の上に前記粘着剤側を貼り付け、布を表生地又は裏生地に縫い付けることにより固定するのが好ましい。マグネット及びマグネットに吸引される物質は、Ｎ極マグネットとＳ極マグネットの組み合わせが、吸着強力があり好ましい。
【００１１】
ジャケットは男性用ジャケットであり、胸襟部を開いたとき、左胸襟部の先端に沿ってマグネット又はマグネットに吸引される物質のうちの一方を配置し、マグネット又はマグネットに吸引される物質のうちの他方は右胸襟部に配置するのが好ましい。女性用ジャケットはその逆である態様としてもよい。マグネット又はマグネットに吸引される物質は、縦方向に２つ以上に分けて配置することもできる。これにより、胸の前で身長方向に沿って直線状に胸襟部を閉じることができ、防水、防風、防寒に有効となる。また、首ボタンを留めてもよい。
【００１２】
ジャケットは首襟部を含み、首襟部を立てることにより胸襟部が連動して閉じる態様としてもよい。これにより、胸の前で胸襟部は閉じることができ、防水、防風、防寒に有効となる。首襟部と胸襟部を連動させるには、首襟部と胸襟部を連続させておけばよい。これにより、胸襟部を閉じる操作が容易となる。
【００１３】
マグネット及びマグネットに吸引される物質のいずれか一方はベルト状に配置されているのが好ましい。これにより胸襟部はシールされた状態で閉じることができ、防水、防風、防寒に有効となる。
【００１４】
胸襟部の下にはジャケットボタン部を有するのが好ましい。これにより、通常着用状態におけるジャケットとしてデザイン的に優れるほか、防風効果も高くなる。
【００１５】
前記ジャケットには、首部にボタンとボタン穴が設けられているのが好ましい。首部のボタンをボタン穴にかけることにより、前記マグネット及びマグネットに吸引される物質の吸引固定はより安定する。
【００１６】
前記マグネット及びマグネットに吸引される物質は、樹脂シート上に配置され、上から保護フィルムによって被覆一体化され、前記樹脂シートの下には粘着剤又は接着剤により布と一体化され、前記布がジャケットの胸襟部に縫い付けられているのが好ましい。このようにすると、前記マグネット及びマグネットに吸引される物質の位置が固定された状態で胸襟部に縫い付けできるので、所定の位置に正確に固定できる。
【００１７】
本発明のジャケットはレインジャケット、防寒ジャケット、防風ジャケット及びこれらの組み合わせから選ばれるのが好ましい。防水、防風、防寒を全部兼ねることもできる。なお、レインジャケットにする場合は、生地に撥水処理しておくのが好ましい。
【００１８】
ジャケット生地はポリエステル織物、コットン織物、ポリエステル−コットン混紡織物、ウール、ナイロンなどが好ましい。高密度織物とする場合は撥水処理無しでも防水機能がある。もちろん撥水処理と組み合わせることもできる。ここで高密度織物とは糸番手２０〜６０（綿番手）を使用し、経糸密度が８０〜１２０本／インチ程度、横糸密度が５０〜１００本／インチ程度の織物をいう。
【００１９】
本発明で使用できるマグネットは、ネオジム、フェライト、サマリウム−コバルト、ガドリニウム、モナズ石などの希土類磁石、これらの材料を含むプラスチックマグネットなど、いかなるマグネットでもよい。プラスチックマグネットの場合は、細幅のシート状にしたものが好ましい。また、マグネットに吸引される物質は、吸引される物質を含んでいればどのようなものでもよい。例えば、ステンレス箔、磁性金属粉を含むプラスチックシート、前記プラスチックマグネットなどいかなるものでもよい。
【００２０】
以下図面を用いて説明する。各図面において、同一符号は同一部分を示す。図１は本発明の一実施形態におけるジャケットの胸襟を開いた状態の正面図である。このジャケット１は男性用の例であり、胸襟部３ａ，３ｂは外側に折り返されて開いており、着用者から見て左側の胸襟部３ａにはマグネット４ａ，４ｂが２つに分けて表生地と裏生地との間に固定されている。図面において、マグネット４ａ，４ｂは点線で示しているが、これは表生地と裏生地との間に存在しており、外側からは視認できないからである。
着用者から見て右側の胸襟部３ｂには、前記マグネット４ａとは異なった極のマグネット４ｃが固定され、右側胸襟部下部の見頃部には前記マグネット４ｂとは異なった極のマグネット４ｄが固定されている。マグネット４ｃと４ｄも２つに分けられている。
このジャケット１には首襟部２が設けられている。首襟部２の両端部は胸襟部３ａ，３ｂの上部と連結されており、首襟部２を立てると胸襟部３ａ，３ｂも連動して閉じられる。首部には首部ボタン８ｂとボタン穴８ａを設けておく。
胸襟部３ａ，３ｂの下にはボタン５が固定されており、通常着用状態におけるジャケットとしてデザイン的に満足させるとともに、防風効果も高めている。６は前見頃、７ａ，７ｂは袖部である。
【００２１】
図２は同、着用者から見て右側の胸襟部３ｂの胸襟を閉じた状態の正面図であり、図３は同、両方の胸襟部３ａ，３ｂを閉じた状態の正面図である。マグネット４ａとマグネット４ｃ、マグネット４ｂとマグネット４ｄはそれぞれ吸引し、細いベルト状に胸襟部は閉じられる。首部ボタン８ｂをボタン穴８ａにかけてもよい。胸襟部を開く場合は、胸襟部３ａ，３ｂを開く。
【００２２】
図４Ａは同マグネット部材の平面図、図４Ｂは同マグネット部材の断面図である。このマグネット部材１０は、円形マグネット１３ａ−１３ｄが塩化ビニル樹脂シート１２の上に配置され、ポリエチレンフィルムなどの保護フィルム１４によって被覆一体化されている。塩化ビニル樹脂シート１２の下には粘着剤が塗布されており、織物生地などの布１１に押し付けて固定し、布１１をジャケットの胸襟部に縫い付ける。縫い付け部は外から見えないようにする。円形マグネット１３ａ−１３ｄの一例の大きさは直径１０ｍｍ、厚さ１．７ｍｍである。
【実施例】
【００２３】
以下実施例により、本発明をさらに具体的に説明する。なお本発明は下記の実施例に限定されるものではない。
【００２４】
（実施例１）
＜ジャケット＞
（１）ジャケットの繊維素材と織物構成
生地の混率：ポリエステル６０％  綿３３％  ポリウレタン７％
生地を構成する糸のメートル番手：経糸４０番手×緯糸４０番手
糸構成：ポリウレタンにポリエステル：綿（６５：３５の混入率）の混紡紡績糸を巻きつけたタイプ
織物の経糸密度：１０３本  ／インチ
織物の緯糸密度：７５本  ／インチ
（２）マグネット
円形マグネット１３ａ−１３ｄの一例の大きさは直径１０ｍｍ、厚さ１．７ｍｍとした。マグネットは市販の希土類マグネットとした。胸襟部の一方にはＳ極又はＮ極マグネットを使用し、他方には前記マグネットと吸引し合う極のマグネットを使用した。
（３）ジャケットの縫製と着用試験
図１〜３に示すジャケット１を縫製した。このジャケット１は、マグネットとこれに吸引される物質は生地の内側に入れているので外側からは視認できず、普段は通常のオフィス勤務用ジャケットとデザイン的に変わることはなく使用できた。また、通勤時などで雨が降ってきたときには、折り返している襟の部分を立ててから胸襟を閉じることでジャケットの内側に水分が入るのを防ぐことができた。
ジャケット表面に付着した水分は、軽く払うだけで落ちてしまい、そのままオフィスに入っても、濡れているという不快感はなかった。さらに防風、防寒も兼ねており、寒い時期にも便利であった。
【産業上の利用可能性】
【００２５】
本発明のジャケットは、背広（スーツ）、ブルゾン、替え上着などのようなテーラードジャケットに有用であるほか、ユニホームジャケット、ブレザーなどにも有用である。
【符号の説明】
【００２６】
１  ジャケット
２  首襟部
３ａ，３ｂ  胸襟部
４ａ，４ｂ  マグネット
４ｃ，４ｄ  異極マグネット
５  ボタン
６  前身頃
７ａ，７ｂ  袖部
８ａ  ボタン穴
８ｂ  首部ボタン
１０  マグネット部材
１１  布
１２  塩化ビニル樹脂シート
１３ａ−１３ｄ  円形マグネット
１４  保護フィルム
【図１】
2018127751.tif 000003
【図２】
2018127751.tif 000004
【図３】
2018127751.tif 000005
【図４】
2018127751.tif 000006